(57)【特許請求の範囲】
【請求項１】
複数の光入力側Ａ１（ｉｍｌないしｉｍｎ）および複数の光出力側Ｂ１（ｅｍｌないしｅｍｎ）を有し、ネットワーク管理システム（ＮＭＳ）によって前記入力側Ａ１と出力側Ｂ１との間の光コネクションが制御される、少なくとも１つの制御可能なスイッチングモジュール（ＯＳＭ）と、
前記ネットワーク管理システム（ＮＭＳ）によって内部の光コネクション（ＯＶ）が監視される分配器フレーム（ＶＲ）と、
を備えた、伝送ネットワークに対する光クロスコネクト（ＯＸＣ）であって、
前記分配器フレーム（ＶＲ）は分配器外部に対する複数の光分配器入力側Ａ２（ｉｒｌないしｉｒｋ）および該スイッチングモジュール（ＯＳＭ）の出力に対する光分配器入力側Ａ３（ｉｒｋ＋１ないしｉｒｎ）、並びに分配器外部に対する複数の光分配器出力側Ｂ２（ｅｒｌないしｅｒｋ）および該スイッチングモジュール（ＯＳＭ）の入力に対する複数の光分配器出力側Ｂ３（ｅｒｋ＋１ないしｅｒｎ）を有しており、
該光分配器入力側Ａ２の一部（ｉｒ２，ｉｒ３，ｉｒｋ−１）は、複数の光導波体の一部（ＶＬ２，ＶＬ３，ＶＬ５）を介して、該光分配器出力側Ｂ２の一部（ｅｒ１，ｅｒ２，ｅｒ３）にそれぞれ接続されておりかつ、
該光分配器入力側Ａ２の残り（ｉｒ４，ｉｒ１，ｉｒｋ）は、前記光導波体の残り（ＶＬ１，ＶＬ４）を介して、該光分配器出力側Ｂ３の一部（ｅｒｋ＋１，ｅｒｋ＋２，ｅｒｎ）にそれぞれ接続され、
前記光分配器出力側Ｂ２の残り（ｅｒ４，ｅｒｋ−１，ｅｒｋ）は、前記光分配器入力側Ａ３の一部（ｉｒｋ＋１，ｉｒｋ＋２，ｉｒｎ）にそれぞれ接続されており、
また、前記光分配器出力側Ｂ３（ｅｒｋ＋１、ｅｒｋ＋２、ｅｒｎ）は前記光入力側Ａ１（ｉｍｌないしｉｍｎ）にそれぞれ接続され、前記光分配器入力側Ａ３（ｉｒｋ＋１，ｉｒｋ＋２，ｉｒｎ）は前記光出力側Ｂ１（ｅｍｌないしｅｍｎ）にそれぞれ接続されており、
前記光分配器入力側Ａ２（ｉｒｌないしｉｒｋ）、前記光分配器出力側Ｂ２（ｅｒｌないしｅｒｋ）、光分配器出力側Ｂ３（ｅｒｋ＋１ないしｅｒｎ）、光分配器入力側Ａ３（ｉｒｋ＋１ないしｉｒｎ）の間の光コネクション（ＯＶ）は、前記光分配器入力側Ａ２、前記光分配器出力側Ｂ２、光分配器出力側Ｂ３および光分配器入力側Ａ３のプラグイン接続に用いられる各光コネクション導体の端部に備えられる各プラグの結合によって実現する電気的結合を利用して、第１の制御線路（ＳＬ１）を介して、前記ネットワーク管理システム（ＮＭＳ）により監視され、
前記スイッチングモジュール（ＯＳＭ）の光入力側Ａ１（ｉｍｌないしｉｍｎ）と光出力側Ｂ１（ｅｍｌないしｅｍｎ）との間の光コネクションは、前記ネットワーク管理システム（ＮＭＳ）によって、第２の制御線路（ＳＬ２）を介して、自由に組み合わせできる
ことを特徴とする、伝送ネットワークに対する光クロスコネクト（ＯＸＣ）。
【請求項２】
前記光分配器入力側Ａ２のある特定の入力側（ｉｒ４）と前記分配器出力側Ｂ２のある特定の出力側（ｅｒｋ）を光コネクションするために、まず該分配器入力側Ａ２のある特定の入力側（ｉｒ４）と前記分配器出力側Ｂ３のある特定の出力側（ｅｒｋ＋１）とが光導波体（ＶＬ４）を介して光コネクション（ＯＶ）されていること、および該分配器出力側Ｂ２のある特定の出力側（ｅｒｋ）と前記分配器入力側Ａ３のある特定の入力側（ｉｒｍ）とが光導波体（ＶＬ９）を介して光コネクション（ＯＶ）されていることを前記各光導波体のプラグの電気的結合によって検出し、その検出情報に基づいて、前記ネットワーク管理システム（ＮＭＳ）は前記入力側Ａ１のある特定の入力側（ｉｍ１）と出力側Ｂ１のある特定の出力側（ｅｍｎ）とを接続するように該スイッチングモジュール（ＯＳＭ）を制御する
請求項１記載の光伝送ネットワークに対する光クロスコネクト。
【請求項３】
前記光分配器入力側Ａ２（ｉｒｌないしｉｒｋ）は、前記光伝送ネットワークの光入端子Ａ４（ｏｉ１ないしｏｉｋ）を備えている複数の光入りファイバ（ＯＺＦ）にそれぞれ接続されており、
前記光分配器出力側Ｂ２（ｅｒｌないしｅｒｋ）は、前記光伝送ネットワークの光出端子Ｂ４（ｏｅ１ないしｏｅｋ）を備えている複数の光出ファイバ（ＯＡＦ）に接続されている
請求項１または２記載の光伝送ネットワークに対する光クロスコネクト。
【請求項４】
前記分配器出力側Ｂ３の残りの出力端子（ｅｒｋ＋８、ｅｒｋ＋９…）と前記分配器入力側Ａ３の残りの入力端子（ｉｒｋ＋８、ｉｒｋ＋９…）とを用いて別のスイッチングモジュール（ＯＳＭ１）が並列接続される
請求項１から３までのいずれか１項記載の光伝送ネットワーク用光クロスコネクト。
【発明の詳細な説明】
【０００１】
本発明は、複数の光入力側および複数の光出力側を有し、ネットワーク管理システムによって該光入力側と該光出力側との間の光コネクションが制御される、少なくとも１つの制御可能なスイッチングモジュールと、前記ネットワーク管理システムによって内部の光コネクションが監視される分配器フレームとを備えた、光伝送ネットワークに対する光クロスコネクトに関する。
【０００２】
複数の光クロスコネクトを有しおよび場合によっては光周波数多重も行われるようになっている高ビットレートの、ファイバで結ばれた伝送区間に基づいている光伝送ネットワークは、将来のテレコミュニケーションに対する高いデータ量を伝送するための将来的なトランスポートネットワークである。
【０００３】
殊にインターネットアクセスプロバイダーおよびインターネットユーザの増加による、光伝送ネットワークを介する、データ伝送の分野の期待される成長のために、この形式の光伝送ネットワークを事業者ができるだけ簡単にスケーリングできるように構成することが必要であり、すなわち光クロスコネクトの拡張ないし著しく異なっているコネクション要求を有する付加的なユーザの取込は極めてフレキシブルにかつ極めて短い時間内に適当な技術コストで実現できるようでなければならない。
【０００４】
この場合ファイバオプチック分配器として実現されている光クロスコネクトにおいて光コネクションは、それぞれの光クロスコネクトにおいて手動で光コネクションが例えば光プラグイン接続によって入力側から出力側へ通されるように実現される。このために通例、それぞれプラグ接続部を有している２つの光導波体がこの形式の光プラグイン接続部を介して相互に接続され、その際光プラグイン接続部は１つの光コネクション導体と該光コネクション導体の端部にそれぞれ取り付けられている２つのプラグとを有している。光コネクション導体のプラグはコネクションすべき光導波体の光接続部に装着されかつこれにより最終的に第１の光導波体ないし入りファイバと第２の光導波体ないし出ファイバとの間の光コネクションを形成する。光コネクションないし光プラグ接続部の手動の、エラーを引き起こし易いコンフィギュレーションの確率を低減するために、ＤＥ１９９２０４５２号から、光プラグイン接続に用いられる各コネクション導体の端部に備えられた各プラグの結合によって電気的な結合も実現されるようになっている光プラグイン接続が公知である。この場合この電気的な結合を用いて、光コネクションの形成の際に直接、光プラグイン接続のコンフィギュレーションがネットワーク管理システムに指示される。更に、ネットワーク管理システムによって、必要の場合にその都度、それぞれの光プラグイン接続のその時点のコンフィギュレーションを確かめることができる。しかしファイバオプチック分配器として実現されているこの形式の光クロスコネクトは中央制御ユニットないしネットワーク管理システムを介する制御能力を有しておらず、これにより光コネクションの形成のために、光クロスコネクトにおいてこのために必要な、専門家の手動操作による時間的にも経済的にも膨大なコストが生じることになる。この理由から、この形式に構成されている光クロスコネクトに関して主にスタチックなコネクションが形成されて、光クロスコネクトの手動のコンフィギュレーションに対する経済コストができるだけ低く抑えられるようにしている。
【０００５】
ダイナミック光コネクション、すなわち例えば一日のうちに数回コンフィギュレーション変換される光コネクションを形成するために、光スイッチを用いたスイッチングマトリクスが実現されている制御可能な光クロスコネクトないしスイッチングモジュールが公知である（このために殊にＤＥ４３１４３５４号が参考になる）。これにより光コネクションはネットワーク管理システムを介して電子的に切り換えることができ、これにより光コネクションのしばしば時間を要する「装着」が省略される。しかし拡張、すなわち自動的に制御可能な光クロスコネクトないしスイッチングモジュールの光インタフェースをバージョンアップするには装置技術コストを一段と高めることでしかできない点は不都合である。例えば制御可能な光クロスコネクトの光インタフェースの数を倍にしようとするならば、制御可能なスイッチングモジュールが機能しなくなる可能性を最小限にくい止めるために、スイッチングマトリクスの光スイッチングモジュールのカスケード接続が実施されなければならない。光インタフェースを倍にするためのこの種のカスケード接続は状況によっては、制御可能なスイッチングモジュールが要求通り確実に機能するようにするために、光スイッチングモジュールは４倍より多く設けなければならないことになる。付加的に、光スイッチングモジュールのカスケード接続によって、光クロスコネクトの通過減衰が高められ、その結果光クロスコネクトないし制御可能なスイッチングモジュールのカスケード接続を介して伝送される光信号の付加的な再生が必要になる可能性がある。
【０００６】
本発明の課題は、冒頭に述べた形式の光クロスコネクトを、光クロスコネクトの入力側および出力側の間の光コネクションをランダムにスイッチングするための装置技術コストが低減されるように構成することである。この課題は請求項１の上位概念に記載の構成から出発して、その特徴部分に記載の構成によって解決される。
【０００７】
本発明の光クロスコネクトの重要な様相は次の点に見ることができる：
冒頭に述べた形式の光クロスコネクトにおいて
分配器フレームは分配器外部に対する複数の光分配器入力側およびスイッチングモジュールの出力に対する光分配器入力側、並びに分配器外部に対する複数の光分配器出力側および該スイッチングモジュールの入力に対する複数の光分配器出力側を有しており、
分配器外部に対する光分配器入力側の一部は、複数の光導波体の一部を介して、分配器外部に対する光分配器出力側の一部にそれぞれ接続されておりかつ、
分配器外部に対する光分配器入力側の残りは、光導波体の残りを介して、分配器内部に対する光分配器出力側の一部にそれぞれ接続され、
分配器外部に対する光分配器出力側の残りは、分配器に内部に対する光分配器入力側の一部にそれぞれ接続されており、
また、分配器内部に対する光分配器出力側は前記スイッチングモジュールの光入力側にそれぞれ接続され、分配器内部に対する光分配器入力側はスイッチングモジュールの光出力側にそれぞれ接続されており、
分配器外部に対する光分配器入力側、分配器外部に対する光分配器出力側、光分配器出力側、分配器内部に対する光分配器入力側の間の光コネクションは、分配器内部に対する光分配器入力側、分配器外部に対する光分配器出力側、分配器内部に対する光分配器出力側および分配器内部に対する光分配器入力側のプラグイン接続に用いられる、各光コネクション導体の端部に備えられる各プラグの結合によって実現する電気的結合を利用して、第１の制御線路を介して、ネットワーク管理システムにより監視され、
前記スイッチングモジュールの光入力側と光出力側との間の光コネクションは、ネットワーク管理システムによって、第２の制御線路を介して、自由に組み合わせできる。すなわち本発明では、ネットワーク管理システムによる分配器フレーム内のコネクションされたもしくは装着された光コネクションの監視により、光クロスコネクトのコンフィギュレーションに関する実時点の情報が求められ、これら情報を制御可能なスイッチングモジュールの制御のために使用することができる。従って、ネットワーク管理システムをサービスするネットワーク管理者によって、極めて短い時間内にダイナミックコネクションを実現することもでき、しかもその場合サービス要員によって大抵は数キロメートル離れたところに設置されている光クロスコネクトにおいてこのために必要な光プラグイン接続が手動で形成される必要もない。これにより、光クロスコネクトを介してスイッチング可能な光コネクションの総数に対するダイナミックな光コネクションの割合に依存して、自動的に制御可能なスイッチングモジュールないし光インタフェースの数を必要に適うように制御することができ、すなわち光クロスコネクトにおける自動的に制御可能な光インタフェースの所要数が高められると、スイッチングモジュールの出力に対する光分配器入力側、すなわち分配器フレームの内部に対する分配器入力側とスイッチングモジュールの入力に対する光分配器出力側、すなわち分配器フレームの内部に対する分配器出力側との間の別の制御可能なスイッチングモジュールを挿入接続することができる。従って、特別有利にも、本発明の光クロスコネクトでは僅かな装置技術コストだけでスイッチング可能な光コネクションの数を高めることができる。
【０００８】
本発明の光クロスコネクトの実施形態によれば、外部に対する光分配器入力側のある特定の入力側と分配器外部に対する光分配器出力側のある特定の出力側を光コネクションするために、まず該分配器外部に対する分配器入力側のある特定の入力側と光分配器内部に対する分配器出力側のある特定の出力側とが光導波体を介して光コネクションされていること、および分配器外部に対に対する光分配器出力側のある特定の出力側と前記分配器内部に対する光分配器入力側のある特定の入力側とが光導波体を介して光コネクションされていることを、前記各光導波体のプラグの電気的結合によって検出し、その検出情報に基づいて、前記ネットワーク管理システムは前記スイッチングモジュール入力側のある特定の入力側と出力側のある特定の出力側とを接続するように該スイッチングモジュールを制御する（請求項２）。これにより特別有利にも、外部からクロスコネクトに入力される信号に対してダイナミックな光コネクションを種々の特定の出力側に選択的に切り換えることができる。
【０００９】
本発明の有利な実施形態によれば、分配器外部に対する光分配器入力側は、光伝送ネットワークの光入端子を備えている複数の光入りファイバにそれぞれ接続されており、
分配器外部に対する光分配器出力側は、光伝送ネットワークの光出端子を備えている複数の光出ファイバに接続されている（請求項３）。
【００１０】
光クロスコネクトの別の実施形態によれば、分配器内部に対する光分配器出力側の残りの出力端子と分配器内部に対する分配器入力側の残りの入力端子とを用いて別のスイッチングモジュールが並列接続される（請求項４）。複数の制御可能なスイッチングモジュールの本発明の並列接続によって、ネットワーク管理システムによってダイナミックにスイッチング可能な光コネクションを光クロスコネクト内で最小限の装置コストで実現することができる。付加的に、制御可能なスイッチングモジュールの、分配器内部に対する光分配器入力側および分配器内部に対する分配器出力側に対する本発明の接続によって、光クロスコネクトを複数個の制御可能なスイッチングモジュールだけ拡張する際に入りファイバ／出ファイバの接続コンフィギュレーションを維持することができ、すなわち外部に対する光分配器入力側および分配器出力側の接続構成を維持しかつ拡張のために必要な、分配器フレーム内の光コネクションのコンフィギュレーション変換は内部に対する光分配器入力側および分配器出力側およびネットワーク管理システムにおいて行われる。これにより、成り立っている光クロスコネクト内の所謂「ハイ・ダイナミック・アイランド」（High Dynamic Islands）の移動が著しく低減された装置技術コストで実現される。
【００１１】
本発明の光クロスコネクトの有利な実施形態および発展形態は以下の説明から明らかである。
【００１２】
次の本発明を２つの基本回路図に基づいて詳細に説明する。
【００１３】
図１は、本発明の光クロスコネクトの基本構成を示し、
図２は、第２の制御可能なスイッチングモジュールが拡張されている光クロスコネクトの基本構成を示している。
【００１４】
図１には、本発明の光クロスコネクトＯＸＣの基本構成が図示されている。これは第１および第２の制御線路ＳＬ１，ＳＬ２を介してネットワーク管理システムＮＭＳに接続されている。光クロスコネクトＯＸＣは多数の光入り端子ｏｉｌないしｏｉｋ並びに多数の光出端子ｏｅｌないしｏｅｋを有している。これらにはそれぞれ、光インタフェースＯＳを介して光入りファイバＯＺＦないし光出ファイバＯＡＦが接続されている。
【００１５】
更に、光クロスコネクトＯＸＣは本発明によれば、光入力側ｉｍｌないしｉｍｎおよび出力側ｅｍｌないしｅｍｎを有している制御可能なスイッチングモジュールＯＳＭと、分配器外部に対する光分配器入力側ｉｒｌないしｉｒｋおよび分配器内部に対する光分配器入力側、すなわちスイッチングモジュールの出力に対する光分配器入力側ｉｒｋ＋１ないしｉｒｎおよび分配器外部に対する光分配器出力側ｅｒｌないしｅｒｋおよび分配器内部に対する光分配器出力側、すなわちスイッチングモジュールの入力に対する光分配器出力側ｅｒｋ＋１ないしｅｒｎを有している分配器フレームＶＲとから構成されており、その際分配器フレームＶＲは第１の制御線路ＳＬ１を介しておよび制御可能なスイッチングモジュールＯＳＭは第２の制御線路ＳＬ２を介してネットワーク管理システムＮＭＳに接続されている。分配器フレームＶＲの分配器外部に対する光分配器入力側ｉｒｌないしｉｒｋおよび分配器内部に対する光分配器入力側ｉｒｋ＋１ないしｉｒｎおよび分配器外部に対する光分配器出力側ｅｒｌないしｅｒｋおよび分配器内部に対する光分配器出力側ｅｒｋ＋１ないしｅｒｎは本発明によれば、冒頭に述べた形式の光ブラグイン接続を用いて実現されており、従って各光コネクション導体の端部に備えられる各プラグの結合によって実現する電気的結合を利用してネットワーク管理システムＮＭＳを介して監視、ひいては検証可能であり、すなわちネットワーク管理システムＮＭＳによって、ドイツ連邦共和国特許出願ＤＥ１９９２０４５２号“Optische Steckverbindung”に記載されているように、それぞれの分配器外部に対する光分配器入力側ｉｒｌないしｉｒｋおよび分配器内部に対する光分配器入力側ｉｒｋ＋１ないしｉｒｎおよび分配器外部に対する光分配器出力側ｅｒｌないしｅｒｋおよび分配器内部に対する光分配器出力側ｅｒｋ＋１ないしｅｒｎは実時点のコンフィギュレーションに関して検査されることができるようになっている。従ってネットワーク管理システムＮＭＳにおいては常時、それぞれの光クロスコネクトＯＸＣの分配器フレームＶＲの分配器外部に対する光分配器入力側ｉｒｌないしｉｒｋおよび分配器内部に対する光分配器入力側ｉｒｋ＋１ないしｉｒｎおよび分配器外部に対する光分配器出力側ｅｒｌないしｅｒｋおよび分配器内部に対する光分配器出力側ｅｒｋ＋１ないしｅｒｎに対する最も最新のコンフィギュレーションデータないしコネクションデータが存在しており、すなわちネットワーク管理システムＮＭＳは、どの分配器外部に対する光分配器入力側ｉｒｌないしｉｒｋおよび分配器内部に対する光分配器入力側ｉｒｋ＋１ないしｉｒｎおよび分配器外部に対する分配器出力側ｅｒｌないしｅｒｋおよび分配器内部に対する光分配器出力側ｅｒｋ＋１ないしｅｒｎが占有されておりかつどの別の分配器外部に対する光分配器出力側ｅｒｌないしｅｒｋおよび分配器内部に対する光分配器出力側ｅｒｋ＋１ないしｅｒｎないし分配器外部に対する光分配器入力側ｉｒｌないしｉｒｋおよび分配器内部に対する分配器入力側ｉｒｋ＋１ないしｉｒｎにこれが接続されているかを「知っている」。図１に示されている実施例においては、分配器外部に対する光分配器入力側ｉｒｌないしｉｒｋが入り端子ｏｉｌないしｏｉｋに導かれておりかつ分配器外部に対する光分配器出力側ｅｒｌないしｅｒｋは出端子ｏｅｌないしｏｅｋに導かれている。分配器内部に対する光分配器入力側ｉｒｋ＋１ないしｉｒｎは制御可能なスイッチングモジュールＯＳＭの出力側ｅｍｌないしｅｍｎに接続されておりかつ分配器内部に対する分配器出力側ｅｒｋ＋１ないしｅｒｎは制御可能なスイッチングモジュールＯＳＭの入力側ｉｍｌないしｉｍｎに接続されており、その際図１に図示の実施例では例として、全部の分配器内部に対する光分配器入力側ｉｒｋ＋１ないしｉｒｎおよび分配器内部に対する光分配器出力側ｅｒｋ＋１ないしｅｒｎが制御可能なスイッチングモジュールＯＳＭに接続されているが、それは必ずしも必須ではない。
【００１６】
更に、光分配器フレームＶＲ内の分配器外部に対する光分配器入力側ｉｒｌないしｉｒｋおよび分配器内部に対する光分配器入力側ｉｒｋ＋１ないしｉｒｎはＤＥ１９９２０４５４号に記載されている光プラグイン接続に従って、分配器の外部および内部に対する入力側を分配器内部に対する出力側あるいは分配器外部に対する出力側に接続している分配器内部の光導波体ＶＬ１ないしＶＬ９を介してそれぞれ、分配器外部に対する光分配器出力側ｅｒｌないしｅｒｎまたは分配器内部に対する分配器出力側ｅｒｋ＋１ないしｅｒｎに接続されており、その際にいずれの入力側および出力側でも光プラグイン接続の際の生じる電気的な接続を介して実際に光コネクションＯＶが実現されているかが分かるようになっている。このために例えば、図１において、第１の分配器外部に対する分配器入力側ｉｒｌが第１の光導波体ＶＬ１を介してｎ番目の分配器内部に対する分配器出力側ｅｒｎに接続されており、第２の分配器外部に対する分配器入力側ｉｒ２が第２の光導波体ＶＬ２を介して第２の分配器外部に対する分配器出力側ｅｒ２に接続されており、第３の分配器外部に対する分配器入力側ｉｒ３が第３の光導波体ＶＬ３を介して第３の分配器外部に対する分配器出力側ｅｒ３に接続されており並びに第４の分配器外部に対する分配器入力側ｉｒ４が第４の光導波体ＶＬ４を介してｋ＋１番目の分配器内部に対する分配器出力側ｅｒｋ＋１に接続されている。付加的に、図１に示されている本発明の光クロスコネクトＯＸＣにおいて、ｋ−１番目の分配器外部に対する分配器入力側ｉｒｋ−１は第５の光導波体ＶＬ５を介して第１の分配器外部に対する分配器出力側ｅｒｌに接続されており、ｋ番目の分配器外部に対する分配器入力側ｉｒｋは第６の光導波体ＶＬ６を介して第ｋ＋２番目の分配器内部に対する分配器出力側ｅｒｋ＋２に接続されており、ｋ＋１番目の分配器内部に対する分配器入力側ｉｒｋ＋１は第７の光導波体ＶＬ７を介して第４の分配器外部に対する分配器出力側ｅｒ４に接続されており、ｋ＋２番目の分配器内部に対する分配器入力側ｉｒｋ＋２は第８の光導波体ＶＬ８を介してｋ−１番目の分配器外部に対する分配器出力側ｅｒｋ−１に接続されており並びにｎ番目の分配器内部に対する分配器入力側ｉｒｎは第９の分配器光導波体ＶＬ９を介してｋ番目の分配器外部に対する分配器出力側ｅｒｋに接続されている。
【００１７】
本発明によれば光クロスコネクトＯＸＣは付加的に少なくとも１つの制御可能なスイッチングモジュールＯＳＭを有しており、このスイッチングモジュールを用いてネットワーク管理システムＮＭＳによって、手動の介入操作を行うことなく、図１に図示のようにそれぞれ光入端子を介して対応する分配器の各入力側に接続されている光入りファイバＯＺＦとそれぞれ光出端子を介して対応する分配器の各出力側に接続されている光出ファイバＯＡＦとの間の光コネクションＯＶを切り換えることができ、そのために本発明によれば、制御可能なスイッチングモジュールＯＳＭを介する光コネクションＯＶの確立の際に、まず、光分配器フレームＶＲ内で制御可能なスイッチングモジュールＯＳＭに接続されている分配器内部に対する光分配器出力側ｅｒｋ＋１ないしｅｒｎと分配器外部に対する分配器入力側ｉｒｌないしｉｒｋとの間にコネクションが形成される。更に、少なくとも１つの別の内部光コネクションＯＶが制御可能なスイッチングモジュールＯＳＭに接続されている分配器内部に対する分配器入力側ｉｒｋ＋１ないしｉｒｎの１つから分配器外部に対する分配器出力側ｉｒｌないしｅｒｋに形成される。それからネットワーク管理システムＮＭＳによって、制御可能なスイッチングモジュールＯＳＭに接続されている分配器内部に対する分配器出力側ｅｒｋ＋１ないしｉｒｎと制御可能なスイッチングモジュールＯＳＭを介する制御可能なスイッチングモジュールＯＳＭに接続されている分配器内部に対する分配器入力側ｉｒｋ＋１ないしｉｒｋとの光コネクションＯＶを切り換えることができ、これにより本発明の光クロスコネクトによりそれぞれの分配器フレーム入力側に接続されている対応の１つの光入りファイバＯＺＦからそれぞれの分配器フレーム出力側に接続されている対応の１つの光出線ファイバＯＡＦへの完全な光コネクションＯＶが形成されることになる。
【００１８】
図１には、例として、第１および第２の光コネクションＯＶ１，ＯＶ２が破線で示されており、その際第１の光コネクションＯＶ１はスタチックな光コネクションの実現として設定されておりかつ第２の光コネクションＯＶ２はダイナミックな、すなわちネットワーク管理を介して制御可能な、光コネクションの実現として設定されている。すなわち例えば、図１に図示されている第２の光コネクションＯＶ２は第４の分配器外部に対する光分配器入力側ｉｒ４からｋ＋１番目の分配器内部に対する光分配器出力側ｅｒｋ＋１から制御可能なスイッチングモジュールＯＳＭの第１の入力側ｉｍｌに切り換えられる。制御可能なスイッチングモジュールＯＳＭにおいてその光スイッチがネットワーク管理システムＮＭＳによって調整設定されて、第１の入力側ｉｍｌに加わった光信号がｎ番目の出力側ｅｍｎに偏向される。制御可能なスイッチングモジュールＯＳＭのｎ番目の出力側から第２の光コネクションＯＶ２はｎ番目の分配器内部に対する光分配器入力側ｉｒｎを介してｋ番目の分配器外部に対する光分配器出力側ｅｒｋまで延在している。これはｋ番目の光出端子、ひいては光出ファイバに接続されている。
【００１９】
第２の光コネクションＯＶ２はダイナミックな光コネクションとして実現されているので、例えば光クロスコネクトＯＸＣの夜間運転の期間、第２の光コネクションＯＶ２はネットワーク管理システムＮＭＳによって制御されるスイッチングモジュールＯＳＭによってコンフィギュレーション変更することができる。このために、制御可能なスイッチングモジュールＯＳＭの光スイッチを切り換えて、制御可能なスイッチングモジュールＯＳＭの第１の入力側ｉｍｌに加わっている光信号が今や、例えば制御可能なスイッチングモジュールＯＳＭの第１の出力側ｅｍｌに偏向されるようにすることができる。この出力側は光分配器フレームＶＲのｋ＋１番目の分配器内部に対する光分配器入力側ｉｒｋ＋１に接続されている。この光分配器入力側ｉｒｋ＋１から第７の光導波体ＶＬ７を介して光分配器フレームＶＲの第４の分配器外部に対する光分配器出力側ｅｒ４への光コネクションＯＶ２′が生じる。この出力側は光クロスコネクトの第４の出端子ｏｅ４に接続されている。従って例えば、分配器フレームの分配器外部に対する第４の入力側に接続されている入り端子ｏｉ４に導かれている光入りファイバＯＺＦを介して光クロスコネクトＯＸＣに接続されている顧客は昼間、分配器フレームの分配器外部に対する出力側ｅｒｋに接続されているｋ番目の出端子ｏｅｋに出ファイバＯＡＦを介して接続されているデータネットワークに接続されていることができ、一方同じ顧客は夜間には、分配器フレームの分配器外部に対する４番目の出力側ｅｒ４に接続されている第４の出端子ｏｅ４に出ファイバＯＡＦを介して接続されているデータサーバに接続される。このデータサーバを介して顧客は毎日のデータセキュリティを実施することができる。このことは図１では鎖線によって示されている。従って本発明の光クロスコネクトＯＸＣによって、極めてフレキシブルかつ信頼性を以て、光コネクションＯＶをスタチックにもダイナミックにも構成することができる。この場合光クロスコネクトＯＸＣの本発明の実現によって、閉塞のない（スムーズに機能する）自動的に制御可能な光クロスコネクトＯＸＣを実現するために従来技術では必要である装置技術的なコストの著しい低減が可能になる。更に、特別有利にも、分配器フレーム内での光導波体ＶＬのコネクションの検出に基づいてネットワーク管理システムＮＭＳは接続される光コネクションＯＶを監視することができ、これによりエラー個所の特定ないしこのために必要な時間コストが著しく低減される。
【００２０】
有利には、本発明のクロスコネクトＯＸＣではダイナミックに制御可能な光コネクションＯＶに対する要求が高められる場合に付加的なスイッチング可能なスイッチングモジュールだけ拡張することができ、これらはクロスコネクトないし光分配器フレームＶＲにおいて敷設されている制御可能な光スイッチングモジュールＯＳＭに対して並列に組み入れられる。これにより、光クロスコネクト内の選択可能ないしダイナミックにスイッチング可能な光コネクションの数を高めることができる。
【００２１】
図２には、光クロスコネクトＯＸＣの、別の制御可能なスイッチングモジュールＯＳＭの拡張が例示されており、すなわち従って光クロスコネクトＯＸＣは第１および第２の光スイッチングモジュールＯＳＭ１，ＯＳＭ２を有している。図１に図示の光クロスコネクトＯＸＣに類似して、光分配器フレームＶＲは第１の制御線路ＳＬ１を介して、第１の制御可能なスイッチングモジュールＯＳＭ１は第２の制御線路ＳＬ２を介して並びに第２の制御可能なスイッチングモジュールＯＳＭ２は第３の制御線路ＳＬ３を介してネットワーク管理システムＮＭＳに接続されている。更に、第２の制御可能なスイッチングモジュールＯＳＭ２は第１の制御可能なスイッチングモジュールＯＳＭ１と一体構造になっており、すなわち第１の制御可能なスイッチングモジュールＯＳＭ１も第２の制御可能なスイッチングモジュールＯＳＭ２も第１ないしｎ番目の入力側ｉｍｌないしｉｍｎおよび第１ないしｎ番目の出力側ｅｍｌないしｅｍｎを有している。
【００２２】
図１とは異なって、図２に図示の光クロスコネクトＯＸＣにおいて、ｋ＋１番目の分配器内部に対する光分配器出力側ｅｒｋ＋１は第２の制御可能なスイッチングモジュールＯＳＭ２の第１の入力側ｉｍｌに接続されており、ｋ＋２番目の分配器内部に対する光分配器出力側ｅｒｋ＋２は第２の制御可能なスイッチングモジュールＯＳＭ２のｎ番目の入力側ｉｍｎに接続されており、ｋ＋８番目の分配器内部に対する光分配器出力側ｅｒｋ＋８は第１の制御可能なスイッチングモジュールＯＳＭ１の第１の入力側ｉｍｌに接続されており、ｋ＋９番目の分配器内部に対する光分配器出力側ｅｒｋ＋９は第１の制御可能なスイッチングモジュールＯＳＭ１の第２の入力側ｉｍ２に接続されており並びにｎ番目の分配器内部に対する光分配器出力側ｅｒｎは第１の制御可能なスイッチングモジュールＯＳＭ１のｎ番目の入力側ｉｍｎに接続されている。更に、第２の制御可能なスイッチングモジュールＯＳＭ２の第１の出力側ｅｍｌはｋ＋１番目の分配器内部に対する光分配器入力側ｉｒｋ＋１に接続されており、第２の制御可能なスイッチングモジュールＯＳＭ２のｎ番目の出力側ｅｍｎはｋ＋２番目の分配器内部に対する光分配器入力側ｉｒｋ＋２に接続されており、第１の制御可能なスイッチングモジュールＯＳＭ１の第１の出力側ｅｍｌはｋ＋８番目の分配器内部に対する光分配器入力側ｉｒｋ＋８に接続されており、第１の制御可能なスイッチングモジュールＯＳＭ１の第２の出力側ｅｍ２はｋ＋９番目の分配器内部に対する光分配器入力側ｉｒｋ＋９に接続されており並びに第１の制御可能なスイッチングモジュールＯＳＭ１のｎ番目の出力側ｅｍｎはｎ番目の分配器内部に対する光分配器入力側ｉｒｎに導かれている。
【００２３】
図２において、図１においてスイッチングされている光コネクションＯＶに対して付加的に、例として、ダイナミックにスイッチング可能な第３および第４の光コネクションＯＶ３，ＯＶ４が示されており（図２にはこれらは破線で示されている）、その際第３の光コネクションＯＶ３は分配器外部に対する光分配器入力側ｉｒ４に接続されている１４番目の入り接続端子ｏｉ１４から第１０の光導波体ＶＬ１０を介してｋ＋１番目の分配器内部に対する光分配器出力側ｅｒｋ＋１まで延在しており、該出力側は第２の制御可能なスイッチングモジュールＯＳＭ２の第１の入力側ｉｍｌおよびｎ番目の出力側ｅｍｎを介して次いでｋ＋２番目の分配器内部に対する光分配器入力側ｉｒｋ＋２に導かれている。この第３の光コネクションＯＶ３の残りの部分は、この光分配器入力側から１３番目の光導波体ＶＬ１３を介する第１５の分配器外部に対する光分配器接続端子ｅｒ１５、ひいては第１５の光出接続端子ｏｅ１５へ至る光コネクションである。これに対して第４の光コネクションＯＶ４は第１５の光入り接続端子ｏｉ１５、次いで分配器外部に対する光分配器接続端子ｉｒ１５から第１１の光導波体ＶＬ１１を介してｋ＋２番目の分配器内部に対する光分配器出力側ｅｒｋ＋２に延在している。この出力側ｅｒｋ＋２は第１の制御可能なスイッチングモジュールＯＳＭ２のｎ番目の入力側ｉｍｎおよび第１の出力側ｅｒｋ＋２を介してｋ＋１番目の分配器内部に対する光分配器入力側ｉｒ＋１に接続されており、該分配器入力側は第１２番目の光導波体ＶＬ１２を介して第１４の分配器外部に対する光分配器出力側ｅｒ１４、次いで第１４番目の出接続端子ｏｅ１４に接続されている。
【００２４】
従って本発明の光クロスコネクトＯＸＣは簡単な形式および方法で、複数個のダイナミックにスイッチング可能な光コネクションＯＶ３，ＯＶ４だけ拡張可能であり、しかも例えば付加的な制御可能なスイッチングモジュールＯＳＭ分、光クロスコネクトＯＸＣを拡張する際に、光インタフェースＯＳに接続されている光入りおよび出ファイバＯＺＦ，ＯＡＦを分離するないし「装着替え」する必要がなく、光クロスコネクトＯＸＣ内でこのために設けられている分配器内部に対する光分配器入力側ないし分配器内部に対する分配器出力側ｉｒｋ＋１ないしｉｒｎおよびｅｒｋ＋１ないしｅｒｎを新たに接続形成するだけでよい。更に分配器内部に対する光分配器入力側ないし分配器内部に対する分配器出力側ｉｒｋ＋１ないしｉｒｎおよびｅｒｋ＋１ないしｅｒｎの「新たな接続形成」の際に、光分配器フレームＶＲ内で光コネクションされた光導波体ＶＬ１ないしＶＬ１３の知識がネットワーク管理システムＮＭＳによって有利にも、保守要員に分配器フレームＶＲにおいて例えば分配器外部および内部に対する分配器入力側（ｉｒｌないしｉｒｎ）および分配器出力側（ｅｒｌないしｅｒｎ）に取り付けられている発光ダイオードを用いて（図２には図示されていない）その都度接続すべき分配器内部に対する光分配器入力側ｉｒｋ＋１ないしｉｒｎおよび分配器内部に対する分配器出力側ｅｒｋ＋１ないしｅｒｎを指示することができる。これら入力側および出力側は制御可能なスイッチングモジュールＯＳＭの出力側ｅｍｌないしｅｍｎおよび入力側ｉｍｌないしｉｍｎに接続することができる。これにより、分配器フレーム内の光コネクションを形成する光導波体ＶＬを「誤って」装着することによる光クロスコネクトのエラーのあるコンフィギュレーションの確率は著しく低減される。
【００２５】
更に場合によっては、制御可能なスイッチングモジュールＯＳＭ，ＯＳＭ１，ＯＳＭ２のカスケード接続を行って、光クロスコネクトＯＸＣの閉塞の生じない作動の程度を高めるようにすることができる。
【図面の簡単な説明】
【図１】  本発明の光クロスコネクトの基本構成を示す略図である。
【図２】  光クロスコネクトが第２の制御可能なスイッチングモジュール分拡張されている構成を示す略図である。
【図１】
0003819776.tif 000002
【図２】
0003819776.tif 000003